(57)【特許請求の範囲】
【請求項１】
脱毛ヘッドと、
前記脱毛ヘッドの隣に設けられたマッサージローラとを有し、
前記マッサージローラは、長手軸の周りを回転可能であり、前記長手軸に沿って一列に設けられた基本マッサージ部材のペアを有し、前記ペアにおいて、前記基本マッサージ部材は、前記列において互いに隣接して設けられ、互いに接続することによりV字状に配置される、エピレータ。
【請求項２】
各基本マッサージ部材は、円形、楕円形又は多角形のディスクである、請求項１に記載のエピレータ。
【請求項３】
各ディスクの通常軸及び前記長手軸は、５°〜８５°の角度を囲む、請求項２に記載のエピレータ。
【請求項４】
前記ペアは、前記長手軸の周りを相互に回転される位置に設けられる、請求項１に記載のエピレータ。
【請求項５】
前記ペアは、９０°の相互の回転角度により、前記長手軸の周りを相互に回転される位置に設けられる、請求項１に記載のエピレータ。
【請求項６】
各基本マッサージ部材の皮膚接触面は、滑らかである、請求項１に記載のエピレータ。
【請求項７】
各基本マッサージ部材は、瞬間的な皮膚接触面をもち、前記皮膚接触面の軸方向の拡張は、前記ローラが皮膚に渡って回転する際に変化する、請求項１に記載のエピレータ。
【請求項８】
前記瞬間的な皮膚接触面はなくなることがない、請求項７に記載のエピレータ。
【請求項９】
前記長手軸を含む平面上の前記マッサージローラの突出部は、波形状又はジグザグ形状である、請求項１に記載のエピレータ。
【請求項１０】
前記マッサージローラは、射出成形品であるか、又は、弾性材料によりカバーされた剛性内部構造体を有する、請求項１に記載のエピレータ。
【請求項１１】
当該エピレータは、前記脱毛ヘッドの一部を囲む可逆的に脱着可能なキャップを有し、前記マッサージローラが、前記キャップに取り付けられる、請求項１に記載のエピレータ。
【請求項１２】
前記マッサージローラは、皮膚に向かってスプリングで付勢される、請求項１に記載のエピレータ。
【請求項１３】
当該エピレータは、前記マッサージローラを駆動させるための駆動メカニズムを有する、請求項１に記載のエピレータ。
【請求項１４】
前記マッサージローラは、当該エピレータから可逆的に脱着可能である、請求項１に記載のエピレータ。
【発明の詳細な説明】
【技術分野】
【０００１】
本発明は、脱毛ヘッドとこの脱毛ヘッドの隣に設けられたマッサージローラとを有するエピレータであって、マッサージローラが長手軸の周りを回転可能であるエピレータに関する。
【背景技術】
【０００２】
携帯型モータ駆動エピレータは、近年においてますます人気が高まっている。斯様なエピレータは、一般に、協働するクランピングディスク又は皮膚から毛を引き抜くための他のメカニズムを有する。
【０００３】
脱毛は非常に痛みを伴う手順であり得る。しかしながら、毛が皮膚から引き抜かれる直前に神経を刺激することにより痛みが大幅に低減され得ることが発見された。今日、マッサージ、振動又は他の痛み低減デバイスをもつ非常に多くのエピレータが利用可能である。斯様なデバイスは、受動的であるか、又は、モータ、例えばクランピングディスクを駆動させるモータにより積極的に駆動され得る。マッサージ又は振動部材により達成される痛み削減の量は、或るユーザから他のユーザまで様々であり、マッサージ及び／又は振動の刺激の特定の性質に非常に依存することを実験は示した。
【０００４】
米国特許第６，５２０，９７０号明細書及び米国特許第６，７４０，０９７号明細書は、ぞれぞれ、毛の除去の前に皮膚の神経を刺激するための、クランピングディスクの隣に回転可能に設けられた回転可能なギアホイール及びスパイク状シリンダのセットについて説明している。
【発明の概要】
【発明が解決しようとする課題】
【０００５】
本発明の目的は、皮膚に特定の刺激を与えるための痛み低減要素をもつエピレータを提供することにある。
【課題を解決するための手段】
【０００６】
この目的は、独立請求項の特有の特徴により達成される。更なる仕様及び特定の実施形態は、従属請求項において説明される。
【０００７】
本発明によれば、マッサージローラは、互いに対してＶ字状に配置された基本マッサージ部材のペアを有する。それ故、マッサージローラは、毛の除去の前、間又は後に皮膚の特定の神経刺激を生成しようとする固有の容易に識別可能な幾何学形状をもつ。特有の形状は、ローラが皮膚上で回転されるので、特に、瞬間的な皮膚接触面、即ち特定の瞬間に皮膚に接触するローラ表面の部分が大幅に異なることを意味する。
【０００８】
基本マッサージ部材は、長手軸に沿って一列に設けられ得る。これにより、特定の単純な幾何学形状が実現される。
【０００９】
各基本マッサージ部材は、円形、楕円形、又は、多角形のディスクであり得る。これらの形状に依存して、異なる神経刺激が皮膚中に生成される。このディスクは、特に、楕円形の長軸に対する楕円形の短軸の割合が、０．８〜０．９９の範囲内、好ましくは０．９〜０．９６にある楕円形であり得る。マッサージ部材は、特に、三角形、四角形、五角形又は六角形のディスクであり得る。
【００１０】
この状況において、各ディスクの通常軸、及び、長手軸は、５度〜８５度の角度を囲む。これにより、特定の便利な幾何学形状が実現される。
【００１１】
このペアは、長手軸の周囲を相互に回転される位置に設けられ得る。それ故、より複雑な幾何学形状が実現され、場合により、皮膚上により強い刺激を引き起こす。
【００１２】
このペアは、９０度の回転の相互角度で長手軸の周りを相互に回転される位置に設けられることが特に有利である。それ故、一のペアから隣接するペアへの特定の突然の遷移が実現される。
【００１３】
各基本マッサージ部材の皮膚接触面は平滑であり得る。それ故、皮膚に対する刺激は、その小さな寸法の表面構造よりもむしろマッサージローラの形状により決定される。皮膚接触面は、特に、スパイク又はニブルのうちいずれかを欠いている。これは、ローラが、不快感又は負傷をもたらすことなく皮膚上を安全に転がることを保証する。
【００１４】
各基本マッサージ部材は、瞬間的な皮膚接触面をもち、この瞬間的な皮膚接触面の軸方向の拡張は、ローラが皮膚に渡って回転する際に変化する。これは、不均一な軸方向の拡張をもつ外周をもつ各基本マッサージ部材により実現される。ここで、"軸方向"は、別の方法で特定されない限り、マッサージローラの長手軸を言う。オブジェクトの軸方向の拡張は、別の方法で特定されない限り、マッサージローラの長手軸上のオブジェクトの突出部として規定される。
【００１５】
瞬間的な皮膚接触面はなくなることがない。それ故、各基本マッサージ部材は、マッサージローラが皮膚に渡って回転するように、皮膚との直接的な物理接触を維持する。
【００１６】
長手軸を含む平面上のマッサージローラの突出部は、波形状又はジグザグ形状であり得る。それ故、マッサージローラは、長手軸の周りの回転に関しては明らかに非対称である。
【００１７】
マッサージローラは、射出成形品であるか、又は、弾性材料によりカバーされた剛性内部構造体を有し得る。射出成形品は、特に堅牢であり、或る程度の弾性を示す。代わりに、ローラは、例えば、ベアリングと係合するための金属シャフトと、皮膚に接触するためのゴムコーティングとを有する。
【００１８】
本エピレータは、脱毛ヘッドの一部を囲む可逆的に脱着可能なキャップを有し、マッサージローラがこのキャップに取り付けられる。それ故、マッサージローラは、脱着可能なキャップと一緒にエピレータから取り除かれ得る。例えば、マッサージローラを持ち運ぶキャップは、皮膚処理の代替形式を提供する異なるキャップと置換されてもよい。
【００１９】
マッサージローラは、皮膚に向かってスプリングで付勢され得る。換言すれば、本エピレータは、エピレータが皮膚に渡って動かされる際にマッサージローラが皮膚との安定した接触を維持するように、マッサージローラに対して機械的な力を及ぼすスプリングを有する。本エピレータは、マッサージローラを駆動させるための駆動メカニズムを有し得る。例えば、マッサージローラは、例えば皮膚に対するマッサージローラの高速振動性の上下運動の形式で強制的な振動を実行するように駆動され得る。特に、マッサージローラは、クランピングディスクをも駆動させる同一の電気モータにより駆動され得る。この目的を達成するために、ギアメカニズムがモータとマッサージローラとの間に設けられる。
【００２０】
マッサージローラは、本エピレータから可逆的に脱着可能であり得る。それ故、マッサージローラは、例えばクリーニング又は交換のために、ユーザによりエピレータから除去され得る。
【００２１】
これら及び本発明の他の特徴は、以下の説明及び添付図面から明らかになるだろう。
【図面の簡単な説明】
【００２２】
【図１】マッサージローラを有するエピレータの簡素化された側面図である。
【図２】マッサージローラを有するエピレータの簡素化された底面図である。
【図３】第１の実施形態のマッサージローラの正面図である。
【図４】長手軸の周りを９０°回転させた、図３に示されたマッサージローラの正面図である。
【図５】図３に示されたマッサージローラの縦断面図を示す。
【図６】図３に示されたマッサージローラの側面図である。
【図７】図３に示されたマッサージローラの斜視図である。
【図８】第２の実施形態のマッサージローラの正面図である。
【図９】長手軸の周りを９０°回転させた、図８に示されたマッサージローラの正面図である。
【図１０】図８に示されたマッサージローラの縦断面図を示す。
【図１１】図８に示されたマッサージローラの側面図である。
【図１２】図８に示されたマッサージローラの斜視図である。
【図１３】第３の実施形態のマッサージローラの正面図である。
【図１４】長手軸の周りを９０°回転させた、図１３に示されたマッサージローラの正面図である。
【図１５】図１３に示されたマッサージローラの縦断面図を示す。
【図１６】図１３に示されたマッサージローラの側面図である。
【図１７】図１３に示されたマッサージローラの斜視図である。
【図１８】ローラが皮膚に渡って回転される際のマッサージローラ及びその瞬間的な皮膚接触面の軸方向の変化を概略的に示す。
【発明を実施するための形態】
【００２３】
同一の参照数字は、同一、同様又は相似の部品を指定するために異なる図面において用いられる。斯様な部品は、必ずしも何度も説明される必要はない。
【００２４】
図１は、ハウジング１２、脱毛ヘッド１４、並びに、軸１８及びベアリング２０によりハウジング１２に回転可能に取り付けられたマッサージローラ１６を有するエピレータ１０の簡素化された側面図を示す。マッサージローラ１６は、移動方向８に関して脱毛ヘッド１４の前方に設けられる。それ故、エピレータ１０が皮膚に渡って移動されるときには、マッサージローラ１６は、脱毛ヘッド１４が皮膚６から毛４を抜き取る前に、皮膚の神経を刺激する。追加的に又は代わりに、エピレータ１０は、マッサージローラ１６と同一又は類似であるが、脱毛ヘッド１４が皮膚の部分に渡って移動された皮膚の特定部分の神経が刺激されるように脱毛ヘッドの後方に設けられるマッサージローラ（図示省略）を有してもよい。ハウジング１２は、脱毛ヘッド１４のクランピングディスク（図示省略）を回転させるためのモータ（図示省略）、例えば電気モータ又は手巻式モータを有する。同一のモータが、マッサージローラ１６を駆動させるために用いられてもよい。しかしながら、示された実施形態において、マッサージローラ１６は、エピレータが移動方向８に移動される際に皮膚との摩擦により皮膚上に回転され、エピレータ１０が皮膚６に対して十分堅く押し付けられることをもたらす。
【００２５】
図２は、図１を参照して前述されたエピレータと同様のエピレータ１０の簡素化された底面図を示す。エピレータ１０の脱毛ヘッド１４は、ハウジング１２（可視ではない）に取り付けられたキャップ２３により囲まれる。キャップ２３は、処理窓２４を規定し、処理窓２４を介して脱毛ヘッド１４が皮膚６と接触し得る。マッサージローラ１６と一体のシャフト１８を保持するためのベアリング２０がキャップ２３に取り付けられる。マッサージローラ１６は、回転軸２２を含む平面上に実質的に波形状又はジグザグ形状の突出部をもつ。また、マッサージローラ１６は、シャフト１８をマッサージローラ１６のジグザグ形状又は波形状の部分に連結するためのショルダ２６を各端部に有する。ベアリング２０は、ネジ又はスナップメカニズム（図示省略）によりキャップ２３に取り付けられる。
【００２６】
図３〜７によれば、マッサージローラ１６の第１の実施形態がより詳細に示される。マッサージローラ１６は、長手軸２２をもち、互いに対してＶ字状に配置された基本マッサージ部材２８〜４１のペア２８−２９，３０−３１，３２−３３，３４−３５，３６−３７，３８−３９，４０−４１を有する。基本マッサージ部材２８〜４１は、長手軸２２に沿って一列に設けられる。基本マッサージ部材２８〜４１のそれぞれは、円形横断面及び実質的に卵形又は楕円形の側面をもつディスクである。各ディスクの通常軸（即ち、ディスクの円形横断面と直角をなす軸）及びマッサージローラの長手軸は、４５°前後の角度を規定し得る。マッサージローラ１６の両端に位置する、第１の基本マッサージ部材２８及び最後の基本マッサージ部材４１は、長尺の直径をもつショルダ２６によりシャフト１８にそれぞれ連結される。マッサージローラ１６の機械的な安定性を増大させるためのサドル５０が、隣接している基本マッサージ部材（例えば２８及び２９）間に設けられる。図６に最も良く示されるように、マッサージローラ１６は、長手軸２２と直角をなす平面上に円形突出部をもつ。長手軸と直角をなす平面上の各基本マッサージ部材、例えばマッサージ部材２８の突出部は、約５ｍｍの直径をもつ。マッサージローラ１９が皮膚上を回転する際に、その基本マッサージ部材２８〜４１のそれぞれは、恒久的に皮膚と接触したままである。マッサージローラ１６は、スナップメカニズムにより（図面において示されない）エピレータから可逆的に脱着可能であり得る。このメカニズムは、エピレータの相補的なベアリング（図示省略）及び２つのシャフト１８により与えられ得る。相補的なベアリング若しくはマッサージローラ１６又はこれらの双方は、弾性であり得る。マッサージローラ１６は、ベアリング若しくはマッサージローラ又はこれらの双方を弾性的に変形されることにより、ベアリングに容易に取り付けられ、及び、ベアリングから解放され得る。
【００２７】
第２の実施形態のマッサージローラ１６が図８〜１２に示される。この実施形態は、マッサージ部材２８〜４３のそれぞれが図１１から最も良く見えるような楕円形ディスクである点で、図３〜７を参照して本質的に前述された第１の実施形態とは異なる。より詳細には、各基本マッサージ部材、例えば基本マッサージ部材２８は、長手軸２２と直角をなす平面上に楕円形の突出部をもち、楕円形は、それぞれ５．１ｍｍ及び４．６ｍｍの寸法の長軸及び短軸をもつ。それ故、マッサージローラ１６が皮膚上を回転する際に、長手軸２２と皮膚との間の距離は、基本マッサージ部材２８〜４３の楕円輪郭の結果として変化し、それ故、皮膚を刺激する追加の力をもたらす。
【００２８】
図１３〜１７によれば、マッサージローラ１６の第３の実施形態が示される。マッサージローラ１６は、長手軸２２をもち、互いにＶ字形状において配置される基本マッサージ部材２８〜４５のペア２８−２９，３０−３１，３２−３３，３４−３５，３６−３７，３８−３９，４０−４１，４２−４３及び４４−４５を有する。例えばペア２８−２９を考慮すれば、このペアは、第１の基本マッサージ部材２８とこの第１の部材２８に対して長手軸２２の周りを１８０°回転した第２の基本マッサージ部材２９とを有する。基本マッサージ部材２８〜４５のそれぞれは、楕円形ディスクである。長手軸２２の周りを９０°で互いに対して回転される隣接するペアにより、長手軸２２と直角をなす平面上の波状ローラ１６の突出部は、楕円形ではなく、図１６において最も良く見られるような、９０°で互いに対して回転される２つの楕円形の重ね合わせである。これは、ローラ１６がひきつれた皮膚のような平面上に回転されるときには、基本マッサージ部材２８〜４５は、マッサージローラ１６の全回転の間、恒久的に皮膚との接触を維持するものではないことを意味する。より詳細には、各基本マッサージ部材は、マッサージローラ１６の１回転の間に皮膚と２回接触する。この接触は、楕円セッションの間に痛みを弱めるのに特に効果的であると予期される。
【００２９】
図１８によれば、マッサージローラ１６が長手軸２２の周りを皮膚６上に対して回転する際のマッサージローラ１６及び皮膚６の相互作用が簡素な態様で示される。線状又は狭い表面１２８は、マッサージローラ１６が皮膚に渡って回転する際に基本マッサージ部材２８により接触された皮膚６の部分である。表面１２８の波状の形状は、基本マッサージ部材２８が瞬間的な皮膚接触面をもち、瞬間的な皮膚接触面の軸方向の拡張（即ち、長手軸２２に沿った拡張）が、マッサージローラ１６が皮膚に渡って回転する際に変化するという事実から生じる。連続的な表面１２８は、基本マッサージ部材２８が、マッサージローラ１６の全体回転の間、皮膚との接触を維持するという事実に起因する。同様に、波状の表面１２９，１３０及び１３１が、基本マッサージ部材２９，３０及び３１と関連付けられる。図面は単純化した表現であり、表面１２８〜１３１の示された寸法は、マッサージローラ１６の示された寸法とは必ずしも適合しないことに留意されたい。更に、表面１２８〜１２９のパターンは、図３〜７及び８〜１２を参照して前述された波状ローラ１６の第１又は第２の実施形態に対応することに留意されたい。図１３〜１７を参照して前述された第３の実施形態のマッサージローラは、不連続の表面を伴う異なるパターンであるが類似のものをもたらす。
【００３０】
本発明は、図面及び前述の説明のそれぞれにおいて詳細に示され説明された一方で、これら図面及び説明は、例示であり限定であるとみなされるべきではない。本発明は、開示された実施形態に限定されるものではない。前記で述べられていない等価物、組み合わせ及び修正は、本発明の範囲から逸脱することなく実現され得る。
【００３１】
"有する"という用語及びその活用は、他のステップ又は要素の存在を除外するものではなく、単数表記は、複数を除外するものではない。また、単一のユニットが、請求項において述べられた幾つかの手段の機能を提供し得ることに留意されたい。或る特徴が相互に異なる従属請求項に記載されるという単なる事実は、これらの特徴の組み合わせが有利に用いられ得ないことを示すものではない。請求項における如何なる参照符号も、範囲を限定するものとして考慮されるべきではない。
【図１】
0005579710.tif 000002
【図２】
0005579710.tif 000003
【図３−５】
0005579710.tif 000004
【図６】
0005579710.tif 000005
【図７】
0005579710.tif 000006
【図８−１０】
0005579710.tif 000007
【図１１】
0005579710.tif 000008
【図１２】
0005579710.tif 000009
【図１３−１５】
0005579710.tif 000010
【図１６】
0005579710.tif 000011
【図１７】
0005579710.tif 000012
【図１８】
0005579710.tif 000013